(57)【要約】【課題】カバー部材に大きな力が加わると、該カバー部材が、破損せずに支持部から外れ、且つカバー部材に特定の方向の力が加わった際には、カバー部材が支持部から外れないように構成されたカバー装置、該カバー装置を備えた記録装置を提供すること。【解決手段】円錐面２４を有する係合部２が設けられたカバー係合部材２０と、該カバー係合部材２０が進退可能であるように支持する支持部３２と、該支持部３２から突出した係合部２２が挿通可能な挿通穴４２を有するカバー部材４０と、を備えて、挿通穴４２に係合部２２が挿通した係合状態では、カバー部材４２が円錐面２４の中心軸線回りに回転自在に構成されたカバー装置において、カバー係合部材２０が支持部３１に向かって退避すると、係合部２２と挿通穴４２が非係合状態となるように構成して、係合部２２に、カバー係合部材２０が支持部３２に向かって退避することを阻止する平坦部２６を設ける。【選択図】          図１１
2004306521.tif 000002
【特許請求の範囲】
【請求項１】
先端側に向けて半径の小さくなる円錐面を有する係合部が一方の端部に設けられたカバー係合部材と、該カバー係合部材が前記円錐面の中心軸線方向に進退可能であるように当該カバー係合部材を支持する支持部と、該支持部から突出するように進出した前記カバー係合部材の係合部が挿通可能な挿通穴を有するカバー部材と、を備え、前記カバー部材は、前記挿通穴に前記係合部が挿通した係合状態では、前記円錐面の中心軸線回りに回転自在であるように構成されたカバー装置であって、
前記係合部と前記挿通穴は、前記カバー係合部材が前記支持部に向かって退避すると、非係合状態となるように構成されており、
前記係合部は、前記円錐面の中心軸線と平行な平坦部を有する略円錐形状であり、
該平坦部は、前記挿通穴が当該平坦部に当接した際には、前記カバー係合部材が前記支持部に向かって退避することを阻止するように設けられていることを特徴とするカバー装置。
【請求項２】
請求項１において、前記係合部を付勢する付勢手段が備えられ、該付勢手段は前記係合部を前記支持部から進出させる方向に付勢するように設けられていることを特徴とするカバー装置。
【請求項３】
請求項１または請求項２に記載のカバー装置と、開口部を有するハウジングと、を備えた記録装置であって、
前記支持部は、前記ハウジングに設けられ、前記カバー部材は、前記円錐面の中心軸線回りに回転して、前記開口部の開閉が可能であり、前記平坦部が前記係合部の下面部分に設けられていることを特徴とする記録装置。
【請求項４】
請求項３において、インクカートリッジから供給されたインクを被記録媒体に向けて吐出する記録ヘッドと、前記インクカートリッジを収容可能なインクカートリッジ収容部と、を備え、
前記開口部は、前記インクカートリッジ収容部に対して前記インクカートリッジを着脱する際に、当該開口部内をインクカートリッジが通過可能であるように構成されており、
前記カバー部材は、前記インクカートリッジを前記インクカートリッジ収容部から取り出す方向に開くように構成された記録装置であって、
前記係合部は、前記インクカートリッジを前記インクカートリッジ収容部から取り出す方向の力が前記カバー部材に加わると、前記挿通穴が前記円錐面に当接するように構成されていることを特徴とする記録装置。
【請求項５】
請求項４において、前記インクカートリッジ収容部はインクカートリッジを水平方向に着脱可能であるように構成され、前記記録装置内から排出された被記録媒体を積畳可能な排出スタッカが前記開口部の上方に設けられ、前記円錐面が前記係合部の上面部分に設けられていることを特徴とする記録装置。
【発明の詳細な説明】
【０００１】
【発明の属する技術分野】
本発明は、支持部に対して回転可能であるように構成されたカバー部材を備え、該カバー部材が取り外し可能なカバー装置に関する。また該カバー装置を備えた、記録装置に関する。
【０００２】
【従来の技術】
ハウジングに設けられた支持部に対して回転可能であるように構成されたカバー部材が設けられ、該カバー部材が取り外し可能なカバー装置を備えた記録装置として、例えば特許文献１に記載のインク・ジェット・プリンタがある。
【０００３】
該インク・ジェット・プリンタは、被記録媒体である記録用紙にインクを吐出して記録を実行する記録ヘッドと、該記録ヘッドにインクを供給するインクカートリッジの交換作業を行うための開口部を有するハウジングとしてのハウジング部材と、前記開口部を覆うことが可能なカバー部材としての記録部カバーとを備えている。また、該記録部カバーには、前記記録用紙の幅方向に突出する突起状の第２の回動軸が、当該記録部カバーの回転軸として設けられており、該第２の回動軸がハウジング部材の支持部に設けられた軸受部と嵌合するように構成されている。
【０００４】
そして、記録部カバーは、第２の回動軸回りに回転して、前記開口部の開閉が可能であるように構成されており、カバー部材を開いて開口部を露呈した状態にすることで、ハウジング部材を取り外すことなく、インクカートリッジの交換作業が可能である。
【０００５】
また、前記記録部カバーにおける前記両第２の回動軸の内側部分には、第２の回動軸付近が弾性変形し易いように、それぞれ切り欠き（特許文献１、図４参照）が設けられており、記録カバーは第２の回動軸付近を弾性変形させることによって、ハウジング部材に対して着脱可能であるように構成されている。
【０００６】
【特許文献１】
特開２００２−２７３９８１
【０００７】
【発明が解決しようとする課題】
記録部カバーは、当該記録部カバーを弾性変形させて、前記第２の回動軸を前記軸受部から抜き取ることで、記録装置本体から取り外し可能であるが、例えばインクカートリッジの交換作業が可能であるように記録部カバーを開放した状態で、誤って利用者の手が当たってしまうなど、記録部カバーに大きな外力が加わると、記録カバーにおいては前記切り欠き部分や第２の回動軸が破損してしまうことがあり、また、ハウジング部材が破損してしまうことがあった。記録カバーやハウジング部材が破損してしまうと、利用者自身によるメンテナンスは困難である。
【０００８】
また、一般的にカバー部材の形状が、記録装置を持ち上げる際に、利用者にとって持ち易い形状、若しくは当該カバー部材を持って持ち上げることが可能な形状であると、利用者は当該カバー部材とハウジングとの接続部分（例えば前記第２の回動軸）の強度等を気にすることなく、カバー部材を持って記録装置を持ち上げてしまうことがある。すなわち、利用者は本来カバー部材が取っ手としての機能を有しないにも関わらず、カバー部材を持って記録装置を持ち上げてしまう場合がある。
【０００９】
係る場合に、記録部カバーなどのカバー部材が、取り外し可能であるように構成されていると、利用者がカバー部材を持って記録装置を持ち上げた際に、記録装置本体の自重などによって、カバー部材が記録装置本体から外れてしまい、記録装置本体が落下するなどの虞がある。
カバー部材は、大きな力が加わった際に破損しないように外れ易く構成されているのが好ましい一方で、当該カバー部材を持って持ち上げた際には、外れないように構成されているのが理想的である。
【００１０】
そこで、本発明の課題は、カバー部材に大きな力が加わると、カバー部材が破損せずに支持部から外れ、且つカバー部材に特定の方向の力が加わった際には、カバー部材が支持部から外れないように構成されたカバー装置、該カバー装置を備えた記録装置を提供することにある。
【００１１】
【課題を解決するための手段】
本願発明の第１の態様に係るカバー装置は、先端側に向けて半径の小さくなる円錐面を有する係合部が一方の端部に設けられたカバー係合部材と、該カバー係合部材が前記円錐面の中心軸線方向に進退可能であるように当該カバー係合部材を支持する支持部と、該支持部から突出するように進出した前記カバー係合部材の係合部が挿通可能な挿通穴を有するカバー部材と、を備え、前記カバー部材は、前記挿通穴に前記係合部が挿通した係合状態では、前記円錐面の中心軸線回りに回転自在であるように構成されたカバー装置であって、前記係合部と前記挿通穴は、前記カバー係合部材が前記支持部に向かって退避すると、非係合状態となるように構成されており、前記係合部は、前記円錐面の中心軸線と平行な平坦部を有する略円錐形状であり、該平坦部は、前記挿通穴が当該平坦部に当接した際には、前記カバー係合部材が前記支持部に向かって退避することを阻止するように設けられていることを特徴とするものである。
第１の態様によれば、カバー部材の外れる方向及び外れない方向を規定することができるため、カバー部材を取り扱う際の安全性の向上を図ることが可能である。
【００１２】
カバー部材に外力が加わって挿通穴が係合部に設けられた円錐面の母線部分に当接すると、挿通穴と係合部との間には当接力が生じる。係合部側の当接部分に生じる前記当接力は、係合部が退避する方向の成分を有しており、さらに係合部は円錐面の中心軸線方向に進退可能である。したがって、当該係合部は、支持部に向かって退避して、挿通穴から抜け出ることで、互いに係合していた当該係合部と当該挿通穴とが、どちらも破損することなく非係合状態となる。
【００１３】
また一方で、カバー係合部材の係合部には、平坦部が設けられており、カバー部材に外力が加わって当該カバー部材の挿通穴が平坦部に当接した際に、当該当接部分に生じる当接力の主な成分は円錐面の中心軸線に対して垂直な方向の成分である。したがって、カバー係合部材は支持部に向かって退避せずに、係合部と挿通部との係合状態は保たれる。
【００１４】
すなわち、平坦部はカバー係合部材が支持部に向かって退避することを阻止可能であるため、係合部における平坦部の位置によって、カバー部材が外れない方向を規定することができ、当該カバー部材が外れると危険な方向に当該カバー部材が外れてしまうのを阻止することが可能である。
したがって、カバー部材の用途に合わせて当該カバー部材の外れる方向及び外れない方向を規定することで、カバー部材の破損を防止すること、及びカバー部材を取り扱う際の安全性の向上を図ることが可能である。
【００１５】
本願発明の第２の態様に係るカバー装置は、第１の態様において、前記係合部を付勢する付勢手段が備えられ、該付勢手段は前記係合部を前記支持部から進出させる方向に付勢するように設けられていることを特徴とするものである。
第２の態様によれば、付勢手段によって係合部が支持部から進出するように付勢されているため、係合部と挿通穴との係合状態をより確実に保つことができ、挿通穴が平坦部に当接した際に誤ってカバー係合部材が支持部に向かって退避してしまうことを防止できる。
【００１６】
本願発明の第３の態様に係る記録装置は、第１又は第２の態様のカバー装置と、開口部を有するハウジングと、を備えた記録装置であって、前記支持部は、前記ハウジングに設けられ、前記カバー部材は、前記円錐面の中心軸線回りに回転して、前記開口部の開閉が可能であり、前記平坦部が前記係合部の下面部分に設けられていることを特徴とするものである。
【００１７】
第３の態様によれば、平坦部が係合部の下面部分に設けられているため、利用者がカバー部材を持って記録装置を持ち上げても、カバー部材の外れない記録装置を得ることが可能であり、利用者が当該記録装置を持ち運ぶ際の安全性の向上を図ることができる。
【００１８】
本来カバー部材は取っ手としての機能を有しておらず、カバー部材を持って記録装置を持ち上げると、記録装置の自重が記録装置本体とカバー部材との接続部に加わって記録装置本体からカバー部材が外れ、記録装置本体が落下してしまう虞がある。
【００１９】
そこで、平坦部を係合部の下面部分に設けることで、カバー部材に対して上方に向かう力が加わっても、挿通穴は平坦部と当接して係合部がハウジング側に退避しないように構成する。そうすることで、利用者がカバー部材を持って記録装置を持ち上げても、当該カバー部材が記録装置本体から外れず、記録装置本体の落下を防止可能であり、利用者が当該記録装置を持ち運ぶ際の安全性の向上を図ることができる。
【００２０】
本願発明の第４の態様に係る記録装置は、第３の態様において、インクカートリッジから供給されたインクを被記録媒体に向けて吐出する記録ヘッドと、前記インクカートリッジを収容可能なインクカートリッジ収容部と、を備え、前記開口部は、前記インクカートリッジ収容部に対して前記インクカートリッジを着脱する際に、当該開口部内をインクカートリッジが通過可能であるように構成されており、前記カバー部材は、前記インクカートリッジを前記インクカートリッジ収容部から取り出す方向に開くように構成された記録装置であって、前記係合部は、前記インクカートリッジを前記インクカートリッジ収容部から取り出す方向の力が前記カバー部材に加わると、前記挿通穴が前記円錐面に当接するように構成されていることを特徴とするものである。
【００２１】
第４の態様によれば、インクカートリッジをインクカートリッジ収容部から取り出す方向の力がカバー部材に対して加わると、当該カバー部材の挿通穴は円錐面と当接することで、係合部がハウジングに向かって退避して、カバー部材が記録装置本体から外れるため、インクカートリッジ収容部からインクカートリッジを取り出す際に、インクカートリッジを持つ利用者の手がカバー部材とインクカートリッジとの間に強い力で挟まれてしまうことを防止できるようになっている。
また、カバー部材は破損せずに外れるため、利用者が当該外れたカバー部材を再び記録装置に取り付けることができる程度にまで、メンテナンス性の向上を図ることが可能である。
【００２２】
本願発明の第５の態様に係る記録装置は、第４の態様において、前記インクカートリッジ収容部はインクカートリッジを水平方向に着脱可能であるように構成され、前記記録装置内から排出された被記録媒体を積畳可能な排出スタッカが前記開口部の上方に設けられ、前記円錐面が前記係合部の上面部分に設けられていることを特徴とするものである。
【００２３】
第５の態様によれば、インクカートリッジ収容部からインクカートリッジを着脱可能であるようにカバー部材を開いた状態で、利用者が記録装置内から排出スタッカに排出された被記録媒体を取ろうとした際に、誤ってその利用者の手が上方からカバー部材に当たっても、円錐面が上面部分に設けられているため、当該カバー部材は破損せずに記録装置から外れ、利用者が自ら当該カバー部材を再び記録装置に取り付けることができる。
【００２４】
【発明の実施の形態】
以下、本願発明に係る記録装置及びカバー装置の一実施の形態を図面に基づいて説明する。図１は、記録装置の外観斜視図であり、カバー部材の一例であるインクカートリッジ・カバーがインクカートリッジ収容部を覆っている状態、すなわちインクカートリッジ・カバーを閉じた状態を示している。図２は、記録装置の外観斜視図であり、インクカートリッジ・カバーを開いてインクカートリッジ収容部が露呈された状態を示している。図３は、記録装置の内部についての側面からの要部拡大側面図である。図４は、記録装置に備えられたカバー装置を示す斜視図であり、インクカートリッジ・カバーが閉じている状態をハウジングの表面側から示している。図５は、記録装置に備えられたカバー装置を示す斜視図であり、インクカートリッジ・カバーが開いている状態を示している。図６は、カバー装置から取り外されたカバー係合部材を示す斜視図である。図７は、カバー装置に設けられたカバー係合部材付近の拡大斜視図であり、当該カバー装置からインクカートリッジ・カバーを外した状態を示している。図８は、カバー装置から取り外されたインクカートリッジ・カバーの挿通穴付近についての拡大斜視図である。図９は、カバー装置に設けられたカバー係合部材付近を図５と同じ方向から示した拡大斜視図であり、該カバー係合部に設けられた係合部がインクカートリッジ・カバーに設けられた挿通穴に挿通している状態を示している。図１０は、カバー装置に設けられたカバー係合部材付近をハウジングの裏面側から示した拡大斜視図であり、該カバー係合部に設けられた係合部がインクカートリッジ・カバーに設けられた挿通穴に挿通している状態を示している。図１１は、ハウジングの裏面側からカバー係合部材付近を拡大して示す拡大背面図であり、カバー係合部材の係合部がインクカートリッジ・カバーの挿通穴に挿通した状態を説明する図である。
【００２５】
まず、本発明に係る記録装置の一例であるインクジェット式記録装置（以下、記録装置という）５０の概略構成について説明し、続いて該記録装置５０に備えられたカバー装置１０の構成について説明する。
図１に示すように、記録装置５０は、略箱形状に構成されたハウジング３０に覆われており、該ハウジング３０は、ハウジング前方部材３０ａとハウジング側面部材３０ｂ、３０ｃとを備え、該ハウジング側面部材３０ｂ、３０ｃの下方には取っ手３６が設けられており、記録装置５０を持ち上げる際に持ち易く成っている。
【００２６】
記録装置５０の前面には被記録媒体の一例である記録用紙を多数積畳可能な被記録媒体積畳部１５として給紙カセット７が突出するように設けられており、該給紙カセット７の直上には、任意のサイズの記録用紙を給紙可能な手差し給紙部５が設けられている。
該手差し給紙部５の直上には、カバー装置１０が設けられており、該カバー装置１０は、カバー部材４０の一例であるインクカートリッジ・カバー４０ａを備えている。カバー装置１０の詳細については後述する。
【００２７】
図２に示すように、インクカートリッジ・カバー４０ａは、開閉可能に構成されており、当該インクカートリッジ・カバー４０ａを開くと、ハウジング３０に形成されたインクカートリッジ７２交換用の開口部３４と、インクカートリッジ７２を収容可能なインクカートリッジ収容部７０と、が露呈するように構成されている。
【００２８】
すなわち、ハウジング３０は開口部３４を有し、当該開口部３４は、インクカートリッジ収容部７０に対してインクカートリッジ７２を着脱する際、すなわちインクカートリッジ７２を交換する際に、当該開口部３４内をインクカートリッジ７２が通過可能であるように構成されている。
また、記録装置５０の上部には、排出スタッカ５２の一例であるフェイスダウン（以下、Ｆｄと略称する）排紙スタッカ５２ａを覆う排紙スタッカ・カバー５２ｂが設けられている。
【００２９】
図２に示すように、該排紙スタッカ・カバー５２ｂは、記録装置５０前方部分に設けられた回転軸を中心に回転して前方（前記開口部３４の上方）に迫り出すように開き、当該排紙スタッカ・カバー５２ｂは開いた状態にあると、当該記録実行後に記録面を下方に向けて記録装置５０内から排出された記録用紙を積畳可能なＦｄ排紙スタッカ５２ａの一部として機能するように構成されている。
【００３０】
尚、Ｆｄ排紙スタッカ５２ａが、前記開口部３４の上方に設けられているため、開口部３４の開閉用に設けられたインクカートリッジ・カバー４０ａは、Ｆｄ排紙スタッカ５２ａの一部として機能する排紙スタッカ・カバー５２ｂとの干渉を避けるために、前方に迫り出しながら下方に向かって回転して開くように構成されている。
【００３１】
また、記録装置５０の背面には、排出スタッカ５２の一例であるフェイスアップ（以下、Ｆｕと略称する）排紙スタッカ５３が備えられており、記録実行後に記録面を斜め上方に向けて記録装置５０から排出される記録用紙を積畳可能であるように構成されている。
【００３２】
そして、記録装置５０は、図３に示すように、ホッパ揺動中心２０３ａ回りに揺動可能で給紙カセット７及び手差し給紙部５に積畳された記録用紙を積畳方向押し上げるホッパ２０３と、該ホッパ２０３が図示しないホッパ駆動手段に駆動されて押し上げられた記録用紙を単位数ずつ分離して給紙可能な分離・給紙手段８０と、前記インクカートリッジ７２から供給されたインクを、分離・給紙手段８０から給紙された記録用紙に向けてインクを吐出して記録を実行する記録実行手段としての記録ヘッド６２が設けられたキャリッジ６３を有する記録実行部６０と、を備えており、分離・給紙手段８０によって、記録用紙を給紙カセット７又は手差し給紙部５から記録実行部６０に向けて給紙して、当該記録実行部６０において記録の行われた記録用紙を、Ｆｄ排紙スタッカ５２ａ又はＦｕ排紙スタッカ５３へと排出するように構成されている。
尚、分離・給紙手段８０及び記録実行部６０については後述する。
【００３３】
以上が、本発明に係る記録装置５０の概略構成についての説明であり、以下、該記録装置５０に備えられたカバー装置１０の構成について説明する。
図４は、記録装置５０に備えられたカバー装置１０を示している。カバー装置は、ハウジング前方部材３０ａに備えられた支持部３１と、該支持部３１に取り付けられたインクカートリッジ・カバー４０ａと、を備えている。ハウジング部材は支持部３１として、記録装置右側部分に設けられた右側支持部３２と、記録装置左側部分に設けられた左側支持部３３と、を有し、インクカートリッジ・カバー４０ａは、下部を両側から支持されている。
【００３４】
また、図５に示すように、カバー装置１０には、前記右側支持部３２から突出可能であるように当該右側支持部３２に支持されたカバー係合部材２０が備えられ、該カバー係合部材２０はインクカートリッジ・カバー４０ａの右側カバー取付面４０ｂ（図８参照）に設けられた挿通穴４２に挿通している。
一方、左側支持部３３は固定された突起（図示せず）を有し、該突起がインクカートリッジ・カバー４０ａの左側カバー取付面４０ｃに設けられた穴（図示せず）を支持している。まず、右側支持部３２付近の構成について詳細について説明する。
【００３５】
図６に示すように、右側支持部３２に備えられたカバー係合材２０は、一方の端部に先端側に向けて半径の小さくなる円錐面２４を有する係合部２２が設けられており、他端側には、円錐面２４の中心軸線方向に伸びる支持軸２８ａが設けられており、また支持軸２８ａと平行に伸びて先端に鈎状部２８ｃを有するストッパ２８ｂが２本設けられている。
【００３６】
カバー係合部材２０の係合部２２は、前記円錐面２４の中心軸線と平行な平坦部２６を有する略円錐形状に形成されている。さらに本実施例において、係合部２２は、インクカートリッジ・カバー４０ａを取り付け易くするために、円錐面２４の中心軸線に対して円錐面２４の母線部分よりも急な傾斜を有する傾斜面２７を備えると共に、内部の中空部２９が露呈するように形成されている。
【００３７】
図７に示すように、カバー係合材２０は、ハウジング前方部材３０ａに設けられた右側支持部３２に対して、前記円錐面２４の中心軸線方向に進退可能であるように支持されていて、係合部２２が右側支持部３２の右側支持部端面３２ａから突出可能であるように構成されている。
すなわち、右側支持部３２には、円錐面２４の中心軸線方向に長い溝状のガイド部３２ｂが設けられ、カバー係合部材２０は、前記ストッパ２８ｂがガイド部３２ｂに嵌合して、当該ガイド部３２ｂに沿って（円錐面２４の中心軸線方向に）スライド可能（進退可能）であるように備えられている。
【００３８】
さらに、カバー係合部材２０は、ストッパ２８ｂがガイド部３２ｂに嵌合しているため、円錐面２４の中心軸線回りには回転せず、本実施例では、カバー係合部材２０は、前記円錐面２４が上方に位置して、前記平坦部２６が下方に位置して、前記傾斜面２７が前方に位置するように、右側支持部３２に対して備えられている。
インクカートリッジ・カバー４０ａは、図８に示すように、右側カバー取付面４０ｂに挿通穴４２を有している。本実施例において、該挿通穴４２は、カバー係合部材２０の係合部２２の先端が挿通可能な程度の内径の円形状に形成されている。
【００３９】
図９及び図１０は、インクカートリッジ・カバー４０ａが取り付けられたカバー装置１０のカバー係合部材２０付近を拡大した図であり、図９は、図５と同じ方向、すなわちハウジング前方部材３０ａの表面側からの斜視図であり、図１０は、ハウジング前方部材３０ａの裏面側からの斜視図である。また、図９は、インクカートリッジ・カバー４０ａを開けた状態であり、図１０は、インクカートリッジ・カバー４０ａを閉じた状態である。また図１１は、ハウジング前方部材３０ａの裏面側からカバー係合部２０材付近を拡大して示す拡大背面図であり、カバー係合部材２０の係合部２２がインクカートリッジ・カバー４０ａの挿通穴４２に挿通した状態を説明する図である。
【００４０】
図９又は図１０に示すように、支持部３１とインクカートリッジ・カバー４０ａは、右側カバー取付面４０ｂ（図８参照）と右側支持部端面３２ａとが対向（図１１も参照）しており、当該右側カバー取付面４０ｂに設けられた挿通穴４２には、右側支持部３２から突出するように進出したカバー係合部材２０の係合部２２が挿通している。
【００４１】
また、図１０又は図１１に示すように、カバー装置１０には、カバー係合部材２０の係合部２２を付勢する付勢手段１２としてコイルばね１２ａが備えられ、該コイルばね１２ａは係合部２２を右側支持部３２から進出させる方向に付勢するように設けられている。
【００４２】
カバー係合部材２０は、コイルばね１２ａによって係合部２２が右側支持部３２から突出するように付勢されているが、その一方で図１１に示すように、右側支持部端面３２ａから係合部２２が一定量突出すると、前記ストッパ２８ｂの鈎状部２８ｃが、右側支持部３２に引っ掛かるように構成されており、それ以上当該係合部２２が支持部３２から突出しないように構成されている。
【００４３】
また、カバー係合部材２０は、前記円錐面２４の中心軸線方向に進退可能であるため、係合部２２に対して図１１の右に向かう力が加わると、当該係合部２２が右側支持部材３２に向かって退避するように移動可能であり、本実施例では、係合部２２の先端が、右側支持部端面３２ａよりも、さらに右側支持部３２の内部まで退避可能であり、係合部２２と挿通穴４２は、カバー係合部材２０が右側支持部３２に向かって退避すると、非係合状態となるように構成されている。
【００４４】
記録装置左側に設けられた左側支持部３３（図４、図５参照）には、既述したように突起（図示せず）が設けられ、左側支持部３３と対向するように取り付けられる左側カバー取付面４０ｃ（図５参照）には前記突起が挿通可能な穴（図示せず）が設けられている。そして、当該穴に前記突起が挿通するように左側カバー取付面４０ｃと左側支持部３３とを組合せると、インクカートリッジ・カバー４０ａが左側支持部３３に対して回転可能であり、且つ当該回転の回転中心軸線と、右側支持部３２に備えられたカバー係合部材２０の円錐面２４の中心軸線と、が一致するように成っている。
【００４５】
尚、インクカートリッジ・カバー４０ａをカバー装置１０に取り付ける際には、まず左側カバー取付面４０ｃと左側支持部３３とを組合せた後、右側支持部３２に備えられたカバー係合部材２０の係合部２２を右側支持部３２内に退避させた状態で、右側支持部端面３２ａと右側カバー取付面４０ｂを対向させて、挿通穴４２に係合部２２を挿通させることによって取り付ける。
【００４６】
カバー装置１０に取り付けられたインクカートリッジ・カバー４０ａは、挿通穴４２に係合部２２が挿通した係合状態では、前記円錐面２４の中心軸線回りに回転自在であるように構成されており、当該インクカートリッジ・カバー４０ａを回転して開くと、図２のように、前方に迫り出すように構成されている。
【００４７】
以上が、記録装置５０に備えられたカバー装置１０の構成について説明であり、以下、インクカートリッジ・カバー４０ａに外力が加わった際のカバー装置１０の動作について、主に図１１を参照しつつ説明する。
図１１に示すように、カバー係合部材２０に設けられた係合部２２の上面部分には、円錐面２４が備えられており、当該係合部２２の下面部分には、平坦部２６が備えられている。既述したように、ストッパ２８ｂがガイド部３２ｂに嵌合しており、カバー係合部材２０は、円錐面２４の中心軸線周りに回転すること無く（係合部２２の円錐面２４と平坦面２６とがそれぞれの位置を保ったまま）、当該円錐面２４の中心軸線方向に進退可能であるように支持されている。
【００４８】
そして、係合部２２はハウジング前方部材３０ａに設けられた右側支持部３２から突出して、インクカートリッジ・カバー４０ａに設けられた挿通穴４２に挿通し、インクカートリッジ・カバー４０ａが、円錐面２４の中心軸線回りに回転して、開口部３４の開閉が可能であるように設けられている。
【００４９】
まず、インクカートリッジ・カバー４０ａに対して、上方からの外力が加わった場合のカバー係合部材２０の動きについて説明する。インクカートリッジ・カバー４０ａに上方からの外力が加わると、挿通穴４２が係合部２２に設けられた円錐面２４の母線部分に当接し、挿通穴４２と円錐面２４との間には当接力が生じる。円錐面２４側の当接部分は、円錐面２４の中心軸線に対して傾いており、当該円錐面２４側の当接部分に生じる前記当接力は、円錐面２４の中心軸線方向の成分を有する。
【００５０】
既述したように、係合部２２は、円錐面２４の中心軸線方向に進退可能であるため、当該係合部２２は円錐面２４側の当接部分に生じる前記当接力の円錐面２４の中心軸線方向成分によって、右側支持部３２に向かって退避する。
そして、係合部２２の先端が右側支持部３２まで達して、係合部２２が挿通穴４２から抜け出ると、互いに係合していた当該係合部２２と当該挿通穴４２とが、どちらも破損することなく非係合状態となり、インクカートリッジ・カバー４０ａは、カバー装置１０から外れることとなる。
【００５１】
そのため、例えば図２のようにインクカートリッジ・カバー４０ａを開いた状態で、利用者がＦｄ排紙スタッカ５２ａに排出された記録用紙を取ろうとした際に、誤ってその利用者の手が上方からインクカートリッジ・カバー４０ａに当たった場合等に、インクカートリッジ・カバー４０ａは、破損することなくカバー装置１０から外れる。
また、インクカートリッジ・カバー４０ａは、記録装置５０前方に向かう力が加わった場合にも、カバー装置１０から外れるように成っている。
【００５２】
本実施例において、インクカートリッジ収容部７０はインクカートリッジ７２を水平方向に着脱可能であるように構成されており、インクカートリッジ７２の交換は、インクカートリッジ収容部７０が露呈するようにインクカートリッジ・カバー４０ａを開放した状態で行う。
【００５３】
インクカートリッジ７２の取り外しについては、インクカートリッジ収容部７０に装着されたインクカートリッジ７２を、記録装置５０の背面から前面に向けて引き出すことで取り外し、逆にインクカートリッジ７２の装着については、インクカートリッジ収容部７０のインクカートリッジ７２が装着されていない箇所に対して、記録装置５０の前面から背面に向けて装着すべきインクカートリッジ７２を差し込むことで装着する。
【００５４】
また、図２に示すように、インクカートリッジ・カバー４０ａは、インクカートリッジ７２をインクカートリッジ収容部７０から取り出す方向に開くように構成されている。
そのため、インクカートリッジ収容部７０からインクカートリッジ７２を取り出す際に、インクカートリッジ７２を持つ利用者の手がインクカートリッジ・カバー４０ａとインクカートリッジ７２との間に強い力で挟まれてしまう虞がある。
【００５５】
そこで、インクカートリッジ７２を持つ利用者の手がインクカートリッジ・カバー４０ａとインクカートリッジ７２との間に強い力で挟まれてしまうことを防止するために、係合部２２は、インクカートリッジ７２をインクカートリッジ収容部７０から取り出す方向の力がインクカートリッジ・カバー４０ａに加わると、挿通穴４２が円錐面２４に当接するように構成されている。
【００５６】
すなわち、本実施例において、係合部２２は上面部分だけでなく背面部分にも円錐面２４が設けられており、インクカートリッジ・カバー４０ａに対して記録装置５０前方に向かう力（インクカートリッジ７２をインクカートリッジ収容部７０から取り出す方向の力）が加わると、挿通穴４２が係合部２２の背面部分に設けられた円錐面２４と当接するため、上方からの力が加わった場合と同様に係合部２２が支持部３２に向かって退避して、インクカートリッジ・カバー４０ａが外れるように構成されている。
【００５７】
尚、カバー装置１０に対するインクカートリッジ・カバー４０ａの取り付け作業は、既述したように比較的容易であり、インクカートリッジ・カバー４０ａが破損せずに外れれば、利用者が自ら当該カバー部材を再び記録装置に取り付けることができるため、メンテナンス性の向上を図ることができる。
【００５８】
また、既述したように係合部２２には、傾斜面２７が設けられており、インクカートリッジ・カバー４０ａをカバー装置１０に取り付ける際に、インクカートリッジ・カバー４０ａと左側支持部３３とを組合せた後、当該傾斜面２７に右側カバー取付面４０ｂを押し付けると、挿通穴４２が円錐面２４と当接した場合と同様に、係合部２２が右側支持部３２ａ内に退避するため、利用者が該係合部２２を手で押さえて退避させる必要がなく、インクカートリッジ・カバー４０ａの取り付け作業が、より簡素化されている。
【００５９】
続いて、インクカートリッジ・カバー４０ａに対して、下方からの外力が加わった場合について説明する。インクカートリッジ・カバー４０ａに下方からの外力が加わると、挿通穴４２は平坦部２６と当接する。既述したように、平坦部２６は円錐面の中心軸線と平行であるため、挿通穴４２と平坦部２６との当接部分に生じる当接力の主な成分は円錐面２４の中心軸線に対して垂直な方向の成分となる。
【００６０】
したがって、カバー係合部材２０は、右側支持部３２に向かって退避せずに、係合部２２と挿通部４２との係合状態は保たれ、インクカートリッジ・カバー４０ａはカバー装置５０から外れないように成っている。すなわち、平坦部２６は、挿通穴４２が当該平坦部２６に当接した際には、カバー係合部材２０が右側支持部３２に向かって退避することを阻止する。
【００６１】
尚、本実施例においては、平坦部２６のストッパ２８ｂ側には円錐面２４が設けられているため、挿通穴４２が平坦部２６のストッパ２８ｂ側に設けられた円錐面２４に当接することもあり、挿通穴４２と円錐面２４とが当接した場合には、一旦は上方からの外力が加わった場合と同様に、係合部２６には円錐面２４の中心軸線方向の力が生じる。
【００６２】
そして、係合部２６に生じた円錐面２４の中心軸線方向の力によって、カバー係合部材２０が、右側支持部３２に向かって若干退避した後、挿通穴４２は平坦部２６と当接して、カバー係合部材２０の右側支持部３２への退避は阻止される。
【００６３】
つまり、インクカートリッジ・カバー４０ａは、下方から外力が加わってもカバー装置１０から外れないため、記録装置５０の利用者が、インクカートリッジ・カバー４０ａを持って当該記録装置５０を持ち上げても、インクカートリッジ・カバー４０ａは記録装置５０から外れないように構成されている。
【００６４】
本実施例において、インクカートリッジ・カバー４０ａは、本来取っ手としての機能を有していないが、図１に示すように、インクカートリッジ・カバー４０ａの直下には、手差し給紙部５からの給紙用の給紙口５ａが設けられているため、利用者が該給紙口５ａに手を入れて、インクカートリッジ・カバー４０ａの下部に手を掛けることができる。
【００６５】
インクカートリッジ・カバー４０ａの下部に手を掛けて記録装置５０を持ち上げた際に、記録装置５０本体からインクカートリッジ・カバー４０ａが外れて、記録装置本体が落下してしまうと危険である。
そこで、平坦部２６を係合部２２の下面部分に設けることで、インクカートリッジ・カバー４０ａに対して上方に向かう力が加わっても、挿通穴４２が平坦部２６と当接して、係合部２２が右側支持部３２内に退避しないように構成し、利用者がインクカートリッジ・カバー４０ａを持って記録装置５０を持ち上げても、当該インクカートリッジ・カバー４０ａが記録装置５０本体から外れず、記録装置５０本体の落下を防止して、利用者が当該記録装置５０を持ち運ぶ際の安全性の向上を図っている。
【００６６】
以上が、インクカートリッジ・カバー４０ａに外力が加わった際のカバー装置１０の動作についての説明であり、以下、主に図３を参照しつつ、分離・給紙手段２０及び記録実行部６０について説明する。
図３に示すように、分離・給送手段２０は、ピックアップローラ８５と、給紙ローラ８１とリバースローラ８３と、を備えており、ピックアップローラ８５は、前記ホッパ２０３が被記録媒体積畳部１５である給紙カセット７又は手差し給紙部５に積畳された記録用紙を押し上げることによって、当該積畳された記録用紙を押圧可能であるように構成されている。尚、図３については、説明を容易にするため、給紙カセット７又は手差し給紙部５を図示していない。
【００６７】
ピックアップローラ８５は、符号ＳＦの方向に回転することで、下方から押圧された記録用紙を給紙ローラ８１及びリバースローラ８３に向けて送出すように構成されている。
給紙ローラ８１は、ピックアップローラ８５から送られた記録用紙をさらに下流側に位置する記録実行部６０に向けて給紙するように、符号ＡＦの方向に回転し、リバースローラ８３は、記録用紙を上流側に戻すように、符号ＲＲの方向に回転するように構成されている。
【００６８】
さらにリバースローラ８３は、給紙ローラ８１に対して接離可能で、記録用紙の給紙時には、記録用紙は給紙ローラ８１とリバースローラ８３との間に挟持された状態で給紙ローラ８１の回転によって下流へと給紙される。
また、リバースローラ８３は、リバースローラ軸８３ａに対してトルクリミッタ８３ｂを介して設けられており、当該リバースローラ８３に対して記録用紙を給紙する方向の負荷トルクが加わり、当該負荷トルクが所定の負荷トルクを上回ると、当該リバースローラ８３は記録用紙を下流に位置する記録実行部６０向けて給紙する方向に回転するように構成されている。そして、給紙ローラ８１とリバースローラ８３との間に挟持された記録用紙が１単位の場合には、給紙ローラ８１が当該記録用紙を介してリバースローラ８３を駆動し、リバースローラ８３は記録用紙を下流に位置する記録実行部６０向けて給紙する方向に回転する。
【００６９】
したがって、記録用紙を給紙する際には、図３に示すように、ホッパ２０３が押し上げられて、積畳された記録用紙がピックアップローラ８５に押圧されて、ピックアップローラ８５が回転することによって、記録用紙は給紙ローラ８１及びリバースローラ８３に向けて送出される。送出された記録用紙は、記録用紙は給紙ローラ８１とリバースローラ８３に挟持されて、両ローラ８１、８３の回転によって、記録実行部６０に向けて単位数ずつ給紙される。
【００７０】
記録実行部６０には、前記キャリッジ６３を支持するキャリッジガイド軸６４と、前記記録ヘッド６２と対向するように設けられたプラテン６５と、記録ヘッド６２の上流側に位置して、記録用紙をプラテン６５に沿って記録ヘッド６２と対向する状態で搬送する搬送手段としての搬送用ローラ対６６と、記録ヘッド６２の下流側に位置して、記録用紙を記録装置の外部に向けて送る排出手段としての排出用ローラ対６７と、が備えられている。
【００７１】
分離・給紙手段８０から記録実行部６０に向けて給紙された記録用紙は、前記搬送用ローラ対６７に達して、当該搬送用ローラ対６７に挟持される。搬送用ローラ対６７は、挟持した記録用紙をプラテン６５に沿って間欠的に所定の搬送量ずつ搬送する。前記キャリッジ６３は、記録用紙が所定量ずつ量送られる毎に、紙面表裏方向（主走査方向）に伸びるキャリッジガイド軸６４に沿って往復移動する。
【００７２】
前記記録ヘッド６２は当該往復移動中に記録用紙に向けてインクを吐出することで記録を実行し、記録用紙は、そのまま下流側へと送られて、排出用ローラ対６７に達して、当該排出用ローラ対６７に挟持される。排出用ローラ対６７は、挟持した記録用紙をさらに下流へと送ることで、記録実行領域から記録用紙を排出し、当該記録用紙は、補助ローラ６８にガイドされて、記録装置５０の外部へと排出される。
【００７３】
尚、本実施例において、キャリッジ６３はインクカートリッジを搭載せず、インクカートリッジ収容部７０に装着されたインクカートリッジ７２から、図示しないインクチューブを介して記録ヘッド６２へとインクが供給されるように構成されている。また、各色のインクカートリッジ７２には、各インクカートリッジ７２に関する情報を担持したＩＣチップ７４がそれぞれ装着されている。このＩＣチップ７４には、インクの色などの固定情報の他、インク残量などの変動情報を記憶する記憶装置が内蔵されている。各ＩＣチップ７４には、受信アンテナ（図示せず）がそれぞれ接続されており、一方で主走査方向に往復動するキャリッジ６３には、前記受信アンテナへ無線信号を送信する送信アンテナ（図示せず）を備えたアンテナ基板７６が略垂直に立設されている。
【００７４】
そして、アンテナ基板７６は、キャリッジ６３が主走査方向に移動することにより、主走査方向に並んで複数配設されたインクカートリッジ７２のうちの、１つのインクカートリッジ７２のＩＣチップ７４と対向する。そして、ＩＣチップ７４と通信することにより、ＩＣチップ７４に記憶された各種情報を、図示しない記録装置５０の制御部へと送信することができるようになっている。
【００７５】
【図面の簡単な説明】
【図１】インクカートリッジ・カバーを閉じた記録装置の外観斜視図。
【図２】インクカートリッジ・カバーを開いた記録装置の外観斜視図。
【図３】記録装置の内部についての側面からの要部拡大側面図。
【図４】インクカートリッジ・カバーが閉じたカバー装置の斜視図。
【図５】インクカートリッジ・カバーが開いたカバー装置の斜視図。
【図６】カバー装置から取り外されたカバー係合部材の斜視図。
【図７】カバー係合部材付近の拡大斜視図。
【図８】インクカートリッジ・カバーの挿通穴付近の拡大斜視図。
【図９】図５のカバー係合部材付近の拡大斜視図。
【図１０】カバー係合部材付近のハウジング裏面側からの拡大斜視図。
【図１１】カバー係合部材付近のハウジング裏面側からの拡大背面図。
【符号の説明】
１２  付勢手段、  １２ａ  コイルばね、  ２０  カバー係合部材、
２２  係合部、  ２４  円錐面、  ２６  平坦部、  ２８ａ  支持軸、
２８ｂ  ストッパ、  ２８ｃ  鈎状部、  ３０ａ  ハウジング前方部材、
３１  支持部、  ３２  右側支持部、  ３２ａ  右側支持端面、
４０  カバー部材、  ４０ａ  インクカートリッジ・カバー、
４０ｂ  右側カバー取付面、  ４２  挿通穴
【図１】
2004306521.tif 000003
【図２】
2004306521.tif 000004
【図３】
2004306521.tif 000005
【図４】
2004306521.tif 000006
【図５】
2004306521.tif 000007
【図６】
2004306521.tif 000008
【図７】
2004306521.tif 000009
【図８】
2004306521.tif 000010
【図９】
2004306521.tif 000011
【図１０】
2004306521.tif 000012
【図１１】
2004306521.tif 000013